(57)【特許請求の範囲】
【請求項１】
エンジンルーム（６０）を覆う、開閉可能なボンネット（７０）と、
閉じられた前記ボンネット（７０）をロックするための回動可能なロックアーム（１２０）を有する、前記エンジンルーム（６０）に設けられたボンネット固定具（１００）と、
一方の端部（２００ａ）が前記ロックアーム（１２０）と連結され、他方の端部（２００ｂ）が前記エンジンルーム（６０）の外部に突出する、閉じられた前記ボンネット（７０）のロックを解除する操作を行うためのボンネットロック解除操作ロッド（２００）と、
前記ボンネットロック解除操作ロッド（２００）の前記他方の端部（２００ｂ）を部分的にまたは全体的に取囲み、冶具（４００）を挿入可能とする取囲み部材（３００）と、
前記ボンネットロック解除操作ロッド（２００）の前記他方の端部（２００ｂ）に、閉じられた前記ボンネット（７０）のロックを解除する操作を行うために、前記取囲み部材（３００）に挿入した前記治具（４００）を係止する、係止部とを備えることを特徴とするトラクター。
【請求項２】
前記ボンネット固定具（１００）を立設するプレート（６１）を備え、
前記ボンネットロック解除操作ロッド（２００）は前記プレート（６１）を貫通し、
前記取囲み部材（３００）は、前記プレート（６１）の下面に固定され、
前記冶具（４００）を引き下げると、ボンネットロック解除操作ロッド（２００）の他方の端部（２００ｂ）は引下げられ、前記ボンネット（７０）のロックを解除することを特徴とする請求項１記載のトラクター。
【請求項３】
前記係止部は、治具係止孔（２２０）、治具係止凹部（２３０）、または治具係止切欠き（２４０）であることを特徴とする請求項１又は請求項２に記載のトラクター。
【請求項４】
前記ボンネットロック解除操作ロッド（２００）の前記他方の端部（２００ｂ）は、閉じられた前記ボンネット（７０）のロックを解除する操作を行うための治具（４００）が当接する、当接部を有することを特徴とする請求項１から請求項３の何れかに記載のトラクター。
【請求項５】
前記取囲み部材（３００）は、閉じられた前記ボンネット（７０）のロックを解除する操作が行われる取囲み部材切欠き（３１０）を有することを特徴とする請求項１から請求項４の何れかに記載のトラクター。
【発明の詳細な説明】
【技術分野】
【０００１】
本発明は、農業用トラクターなどの作業車両に関する。
【背景技術】
【０００２】
ボンネットのロックを解除する操作をレバーでたやすく行うことができる作業車両が、知られている（たとえば、特許文献１参照）。
【先行技術文献】
【特許文献】
【０００３】
【特許文献１】特開平５−１３９３３９号公報
【発明の概要】
【発明が解決しようとする課題】
【０００４】
しかしながら、本発明者は、上述された従来の作業車両においては、ボンネットの意図しない開放にともなう危険性が存在することに気付いた。
【０００５】
本発明は、上述された従来の課題を考慮し、ボンネットの意図しない開放にともなう危険性を低減することができる作業車両を提供することを目的とする。
【課題を解決するための手段】
【０００６】
第１の本発明は、
エンジンルーム（６０）を覆う、開閉可能なボンネット（７０）と、
閉じられた前記ボンネット（７０）をロックするための回動可能なロックアーム（１２０）を有する、前記エンジンルーム（６０）に設けられたボンネット固定具（１００）と、
一方の端部（２００ａ）が前記ロックアーム（１２０）と連結され、他方の端部（２００ｂ）が前記エンジンルーム（６０）の外部に突出する、閉じられた前記ボンネット（７０）のロックを解除する操作を行うためのボンネットロック解除操作ロッド（２００）と、
前記ボンネットロック解除操作ロッド（２００）の前記他方の端部（２００ｂ）を部分的にまたは全体的に取囲み、冶具（４００）を挿入可能とする取囲み部材（３００）と、
前記ボンネットロック解除操作ロッド（２００）の前記他方の端部（２００ｂ）に、閉じられた前記ボンネット（７０）のロックを解除する操作を行うために、前記取囲み部材（３００）に挿入した前記治具（４００）を係止する、係止部とを備えることを特徴とするトラクターである
【０００７】
これにより、取囲み部材（３００）がボンネットロック解除操作ロッド（２００）の他方の端部（２００ｂ）を部分的にまたは全体的に取囲むので、指のみで治具なしにボンネット（７０）を開けることができる仕様を許容しないことで、ボンネット（７０）の意図しない開放にともなう危険性を低減することができる。
【０００８】
第２の本発明は、
前記ボンネット固定具（１００）を立設するプレート（６１）を備え、
前記ボンネットロック解除操作ロッド（２００）は前記プレート（６１）を貫通し、
前記取囲み部材（３００）は、前記プレート（６１）の下面に固定され、
前記冶具（４００）を引き下げると、ボンネットロック解除操作ロッド（２００）の他方の端部（２００ｂ）は引下げられ、前記ボンネット（７０）のロックを解除することを特徴とする請求項１記載のトラクターである。
【０００９】
これにより、上方からの雨水などがプレート（６１）からエンジンルーム（６０）に浸入してしまう恐れを低減できる。
【００１０】
第３の本発明は、
前記係止部は、治具係止孔（２２０）、治具係止凹部（２３０）、または治具係止切欠き（２４０）であることを特徴とする請求項１又は請求項２に記載のトラクターである。
【００１１】
これにより、係止部が治具係止孔（２２０）、治具係止凹部（２３０）、または治具係止切欠き（２４０）であるので、簡素な構成を実現することができる。
【００１２】
第４の本発明は、
前記ボンネットロック解除操作ロッド（２００）の前記他方の端部（２００ｂ）は、閉じられた前記ボンネット（７０）のロックを解除する操作を行うための治具（４００）が当接する、当接部を有することを特徴とする請求項１から請求項３の何れかに記載のトラクターである。
【００１３】
これにより、ボンネットロック解除操作ロッド（２００）の他方の端部（２００ｂ）が当接部を有するので、閉じられたボンネット（７０）のロックを解除する操作をたやすく行うことができる。
【００１４】
第５の本発明は、
前記取囲み部材（３００）は、閉じられた前記ボンネット（７０）のロックを解除する操作が行われる取囲み部材切欠き（３１０）を有することを特徴とする請求項１から請求項４の何れかに記載のトラクターである。
【００１５】
これにより、取囲み部材（３００）が取囲み部材切欠き（３１０）を有するので、閉じられたボンネット（７０）のロックを解除する操作をよりたやすく行うことができる。
【発明の効果】
【００１６】
本発明により、ボンネットの意図しない開放にともなう危険性を低減することが可能な作業車両を提供することができる。
【図面の簡単な説明】
【００１７】
【図１】本発明における実施の形態の農業用トラクターの右側面図
【図２】本発明における実施の形態の農業用トラクターの運転ユニットの斜視図
【図３】本発明における実施の形態の農業用トラクターのエンジン近傍の左側面図
【図４】本発明における実施の形態の農業用トラクターのボンネット固定具およびボンネットロック解除操作ロッドの分解斜視図
【図５】本発明における実施の形態の農業用トラクターのボンネット近傍の斜視図
【図６】本発明における実施の形態の農業用トラクターのボンネット近傍の拡大斜視図
【図７】（ａ）本発明における実施の形態の農業用トラクターのロッドカラー部材の上面図、（ｂ）本発明における実施の形態の農業用トラクターのロッドカラー部材の正面図、（ｃ）本発明における実施の形態の農業用トラクターのロッドカラー部材の右側面図
【図８】（ａ）本発明における別の実施の形態（その一）の農業用トラクターのボンネットロック解除操作ロッドの部分正面図、（ｂ）本発明における別の実施の形態（その一）の農業用トラクターのボンネットロック解除操作ロッドの部分右側面図
【図９】（ａ）本発明における別の実施の形態（その二）の農業用トラクターのボンネットロック解除操作ロッドの部分正面図、（ｂ）本発明における別の実施の形態（その二）の農業用トラクターのボンネットロック解除操作ロッドの部分右側面図
【図１０】本発明における別の実施の形態（その三）の農業用トラクターの治具の上面図
【図１１】本発明における別の実施の形態（その三）の農業用トラクターの車体の後部の斜視図
【図１２】本発明における別の実施の形態（その四）の農業用トラクターのボンネット近傍の拡大斜視図
【図１３】本発明における別の実施の形態（その五）の農業用トラクターのボンネット近傍の拡大斜視図
【図１４】本発明における別の実施の形態（その六）の農業用トラクターのロッドカラー部材近傍の部分右側面図
【図１５】（ａ）本発明に関連する発明における実施の形態の農業用トラクターのボンネット固定具近傍の部分上面図、（ｂ）本発明に関連する発明における実施の形態の農業用トラクターのボンネット固定具近傍の部分正面図
【発明を実施するための形態】
【００１８】
以下、図面を参照しながら、本発明における実施の形態について詳細に説明する。
【００１９】
はじめに、図１〜３を主として参照しながら、本発明における作業車両の一例である本実施の形態の農業用トラクターの構成および動作について具体的に説明する。
【００２０】
ここに、図１は本発明における実施の形態の農業用トラクターの右側面図であり、図２は本発明における実施の形態の農業用トラクターの運転ユニット２０の斜視図であり、図３は本発明における実施の形態の農業用トラクターのエンジン３０近傍の左側面図である。
【００２１】
図３においては、作業者が閉じられたボンネット７０のロックを治具４００で解除する操作を終えた後の状態が示されている。
【００２２】
まず説明されるのは、本実施の形態の農業用トラクターの基本的な構成および動作である。したがって、ボンネット固定具１００およびボンネットロック解除操作ロッド２００に関連する構成および動作などについては、後に詳細に説明する。
【００２３】
車体１０の前部のボンネット７０の内部であるエンジンルーム６０には、メインキーであるエンジンキー２８を利用して起動させられるエンジン３０とともに、燃料タンク３１、マフラー３２、およびラジエーター３３が設けられている。
【００２４】
エンジン３０の回転動力は、運転ユニット２０のフロア２２の下方に設けられたトランスミッションケースの内部の変速装置にＨＳＴ（Ｈｙｄｒｏ  Ｓｔａｔｉｃ  Ｔｒａｎｓｍｉｓｓｉｏｎ）を介して伝えられる。そして、変速装置で変速された回転動力は、左前輪４０Ｌおよび右前輪４０Ｒ、ならびに左後輪５０Ｌおよび右後輪５０Ｒに伝えられる。
【００２５】
運転ユニット２０には、前後進レバー２４が設けられている。エンジン３０の後方には、操舵ハンドル２３が設けられている。操舵ハンドル２３の後方には、運転席２１が設けられている。ホースカバーは、操舵ハンドル２３に接続されているホースを覆っている。操作コラムカバーの左側のフロア２２には、クラッチペダル２７が配置されている。操作コラムカバーの右側のフロア２２には、左ブレーキペダル２５Ｌおよび右ブレーキペダル２５Ｒ、ならびにアクセルペダル２６が配置されている。
【００２６】
車体１０の前部には、フロントローダー油圧ホース８１が接続されているフロントローダー８０が装着されている。
【００２７】
車体１０の後部には、工具箱９０が装着されている。
【００２８】
つぎに、図４〜６を主として参照しながら、本実施の形態の農業用トラクターの構成および動作についてより具体的に説明する。
【００２９】
ここに、図４は本発明における実施の形態の農業用トラクターのボンネット固定具１００およびボンネットロック解除操作ロッド２００の分解斜視図であり、図５は本発明における実施の形態の農業用トラクターのボンネット７０近傍の斜視図であり、図６は本発明における実施の形態の農業用トラクターのボンネット７０近傍の拡大斜視図である。
【００３０】
図６においては、理解を容易にするために、ボンネットピン７１は示されていない。
【００３１】
ボンネット７０は、エンジンルーム６０を覆う、開閉可能なボンネットである。
【００３２】
ボンネット固定具１００は、閉じられたボンネット７０をロックするための回動可能なロックアーム１２０を有する、エンジンルーム６０の内部に設けられた固定具である。
【００３３】
ボンネットロック解除操作ロッド２００は、一方の端部２００ａがロックアーム１２０と連結され、他方の端部２００ｂがエンジンルーム６０の外部に突出する、閉じられたボンネット７０のロックを解除する操作を行うためのロッドである。
【００３４】
ロッドカラー部材３００は、ボンネットロック解除操作ロッド２００の他方の端部２００ｂを取囲む部材である。
【００３５】
ロッドカラー部材３００は、本発明における取囲み部材の一例である。
【００３６】
パイプ状のロッドカラー部材３００はボンネットロック解除操作ロッド２００の他方の端部２００ｂを取囲むので、作業者が他方の端部２００ｂに不意に触れてしまうことはほとんどなく、幼児などが他方の端部２００ｂに不意に触れてしまうこともほとんどない。したがって、ボンネット７０の意図しない開放にともなう危険性を低減することができ、安全性が向上される。
【００３７】
図７に示されているように、ロッドカラー部材３００は、筒状である。
【００３８】
ここに、図７（ａ）は本発明における実施の形態の農業用トラクターのロッドカラー部材３００の上面図であり、図７（ｂ）は本発明における実施の形態の農業用トラクターのロッドカラー部材３００の正面図であり、図７（ｃ）は本発明における実施の形態の農業用トラクターのロッドカラー部材３００の右側面図である。
【００３９】
ボンネットロック解除操作ロッド２００の他方の端部２００ｂには、閉じられたボンネット７０のロックを解除する操作を行うための治具４００が係止させられる、治具係止孔２２０が設けられており、ロッドカラー部材３００には、治具４００を治具係止孔２２０に係止させて、閉じられたボンネット７０のロックを解除する操作を行うためのロッドカラー部材切欠き３１０が設けられている。
【００４０】
ロッドカラー部材切欠き３１０は、本発明における取囲み部材切欠きの一例である。
【００４１】
治具係止孔２２０のみならずロッドカラー部材切欠き３１０が設けられているので、治具４００を治具係止孔２２０に係止させて、閉じられたボンネット７０のロックを解除する操作をたやすく行うことができる。そして、このような構成は、指のみで治具なしにボンネット７０を開けることができる仕様を許容しない、新しい欧州の認証規定であるホモロゲーションを満足する構成である。
【００４２】
図４を主として参照しながら、ボンネット固定具１００およびボンネットロック解除操作ロッド２００に関連する構成および動作についてより詳細に説明すると、つぎの通りである。
【００４３】
ベースプレート６１は、前フレーム６３の上側にベースプレート取付け部材６４で取付けられたバッテリベースプレートである。
【００４４】
固定具基部１１０はベースプレート６１から立設しており、固定具基部突起１１１は後方へ突設されている。
【００４５】
ロックアーム１２０のボンネットピン係止切欠き１２１には、ボンネットピン７１が係止させられる。したがって、閉じられたボンネット７０は、ロックされる。
【００４６】
ロックアーム１２０の固定具基部突起挿入孔１２２には、アーム取付けリング部材１１２を介して固定具基部突起１１１が挿入される。したがって、ロックアーム１２０は固定具基部突起１１１の周りに回動可能である。
【００４７】
アーム付勢スプリング部材１１３は、アーム取付けリング部材１１２とアーム取付けナット１１４とで挟込まれて固定具基部突起１１１に取付けられる。そして、ロックアーム１２０には、アーム付勢スプリング部材１１３の先端部１１３ａが係止させられる。したがって、閉じられたボンネット７０のロックが解除されないような向きの付勢力がロックアーム１２０に常時印加されるので、ロックアーム１２０の状態は通常は水平状態である。
【００４８】
ベースプレート６１のロッド貫通孔６２を下方へ貫通するボンネットロック解除操作ロッド２００の一方の端部２００ａには、ロックアーム突起挿入孔２１０が設けられている。
【００４９】
ロックアーム突起挿入孔２１０には、ロッド取付けワッシャー１２４を介してロックアーム突起１２３が挿入される。そして、ロックアーム突起１２３のロッド抜止めヘアピン係止孔１２５には、ロッド抜止めヘアピン１２６が挿入される。
【００５０】
作業者が閉じられたボンネット７０のロックを治具４００で解除する操作を始めると、ボンネットロック解除操作ロッド２００の他方の端部２００ｂは引下げられ、ロックアーム１２０はアーム付勢スプリング部材１１３の付勢力に抗して下方へ回動し、ボンネットピン７１はボンネットピン係止切欠き１２１を上方へ滑ってロックアーム１２０を外れる。
【００５１】
作業者が閉じられたボンネット７０のロックを治具４００で解除する操作を終えると、ボンネットピン７１が外れたロックアーム１２０はアーム付勢スプリング部材１１３の付勢力により上方へ回動し、ロックアーム１２０の状態は水平状態に復帰し、ボンネットロック解除操作ロッド２００の他方の端部２００ｂは押上げられる。
【００５２】
ロックアーム１２０の頭頂部１２０ａには、ボンネット７０が閉じられるときに、ボンネットピン７１が下方へ滑ってボンネットピン係止切欠き１２１に嵌込みやすいように、傾斜が設けられている。
【００５３】
なお、図８に示されているように、ボンネットロック解除操作ロッド２００の他方の端部２００ｂには、閉じられたボンネット７０のロックを解除する操作を行うための治具４００が係止させられる、治具係止凹部２３０が設けられており、ロッドカラー部材３００には、治具４００を治具係止凹部２３０に係止させて、閉じられたボンネット７０のロックを解除する操作を行うためのロッドカラー部材切欠き３１０が設けられている変形例の実施の形態も、考えられる。
【００５４】
ここに、図８（ａ）は本発明における別の実施の形態（その一）の農業用トラクターのボンネットロック解除操作ロッド２００の部分正面図であり、図８（ｂ）は本発明における別の実施の形態（その一）の農業用トラクターのボンネットロック解除操作ロッド２００の部分右側面図である。
【００５５】
また、図９に示されているように、ボンネットロック解除操作ロッド２００の他方の端部２００ｂには、閉じられたボンネット７０のロックを解除する操作を行うための治具４００が係止させられる、治具係止切欠き２４０が設けられており、ロッドカラー部材３００には、治具４００を治具係止切欠き２４０に係止させて、閉じられたボンネット７０のロックを解除する操作を行うためのロッドカラー部材切欠き３１０が設けられている変形例の実施の形態も、考えられる。
【００５６】
ここに、図９（ａ）は本発明における別の実施の形態（その二）の農業用トラクターのボンネットロック解除操作ロッド２００の部分正面図であり、図９（ｂ）は本発明における別の実施の形態（その二）の農業用トラクターのボンネットロック解除操作ロッド２００の部分右側面図である。
【００５７】
また、治具４００はエンジンキー２８であり、治具係止孔２２０、治具係止凹部２３０、または治具係止切欠き２４０の形状はエンジンキー２８の形状に対応している変形例の実施の形態も、考えられる。
【００５８】
ボンネットロック解除操作ロッド２００の一方の端部２００ａ、およびボンネットロック解除操作ロッド２００の他方の端部２００ｂは、平板状である。
【００５９】
ボンネットロック解除操作ロッド２００の一方の端部２００ａは平板状であるので、一方の端部２００ａはロックアーム１２０とガタツキなく連結される。そして、ボンネットロック解除操作ロッド２００の他方の端部２００ｂは平板状であるので、治具係止孔２２０の位置が組立て時の位置ずれなどに起因してロッドカラー部材切欠き３１０の位置からそれてしまう恐れはほとんどなく、治具４００を治具係止孔２２０にたやすく係止させることができる。さらに、一方の端部２００ａおよび他方の端部２００ｂは平板状であるので、ボンネットロック解除操作ロッド２００の形状は上下方向において対称的であり、ボンネットロック解除操作ロッド２００の方向性を組立て時に気にしなくてもよい。
【００６０】
ボンネットロック解除操作ロッド２００は、エンジンルーム６０の前部の下側に配置されたベースプレート６１を貫通する。
【００６１】
ボンネットロック解除操作ロッド２００はベースプレート６１を貫通するので、上方からの雨水などがロッド貫通孔６２からエンジンルーム６０に浸入してしまう恐れはほとんどない。もちろん、下方からの泥水などの浸入を防ぐロッド貫通孔６２のシーリング部材がエンジンルーム６０の前部の下側に設けられていてもよいし、前方からの泥水などの浸入を防ぐメッシュ部材がエンジンルーム６０の前部の前側に設けられていてもよい。
【００６２】
本実施の形態においては、治具４００は、非使用時には、着脱可能な治具留め紐４１０でエンジンキー２８に留められる、廉価なスティック状の治具である。
【００６３】
したがって、治具４００が紛失されてしまう恐れはほとんどなく、ローエンドモデルにおける治具４００の標準的な装備をたやすく行うことができる。
【００６４】
そして、治具４００は、使用時には、ロッドカラー部材３００の前側面に設けられたロッドカラー部材切欠き３１０に挿入され、治具係止孔２２０に係止させられるので、作業者は、ボンネット７０の前側のボンネット開放操作位置に立ち、一方の手を利用してボンネット７０を持ちながら、他方の手を利用してボンネットロック解除操作ロッド２００の他方の端部２００ｂを引下げ、閉じられたボンネット７０のロックを解除する操作をたやすく行うことができる。
【００６５】
なお、図１０および１１に示されているように、治具４００は、非使用時には、着脱可能な治具留め蝶ボルト４２０で工具箱取付けボルト挿入孔９１に留められる、安全な刺抜きピンセット状の治具である変形例の実施の形態も、考えられる。
【００６６】
ここに、図１０は本発明における別の実施の形態（その三）の農業用トラクターの治具４００の上面図であり、図１１は本発明における別の実施の形態（その三）の農業用トラクターの車体１０の後部の斜視図である。
【００６７】
図１０においては、治具４００の非使用時の状態が二点鎖線で示されている。図１１においては、工具箱９０が車体１０の後部に装着されていない状態が示されている。
【００６８】
刺抜きピンセット状の治具４００は持ちやすく、治具係止孔２２０に係止させられる治具４００の先端部４００ａは、矢印ＡおよびＢの向きと反対向きの弾性力に抗して突出させられなければ、引込んでいるので、作業者が先端部４００ａで怪我をしてしまう恐れはほとんどない。もちろん、工具箱９０が車体１０の後部に装着されているときには、治具４００を工具箱取付けボルト挿入孔９１に留めることができないので、治具４００は工具箱９０に収納されてもよい。
【００６９】
また、図１２に示されているように、治具４００は、使用時には、ロッドカラー部材３００の左側面または右側面に設けられたロッドカラー部材切欠き３１０に挿入される変形例の実施の形態も、考えられる。
【００７０】
ここに、図１２は、本発明における別の実施の形態（その四）の農業用トラクターのボンネット７０近傍の拡大斜視図である。
【００７１】
図１２においては、理解を容易にするために、ボンネットピン７１は示されていない。
【００７２】
フロントローダー８０が車体１０の前部に装着されており、作業者がボンネット７０の前側のボンネット開放操作位置に立ちにくいときにも、作業者は、ボンネット７０の左または右側の位置に立ち、閉じられたボンネット７０のロックを解除する操作をたやすく行うことができる。
【００７３】
また、図１３に示されているように、作業者は、ボンネットロック解除操作ロッド２００の他方の端部２００ｂを押上げ、閉じられたボンネット７０のロックを解除する操作をたやすく行うことができる変形例の実施の形態も、考えられる。
【００７４】
ここに、図１３は、本発明における別の実施の形態（その五）の農業用トラクターのボンネット７０近傍の拡大斜視図である。
【００７５】
図１３においては、理解を容易にするために、ボンネットピン７１は示されていない。
【００７６】
治具４００は、使用時には、矢印Ｃの向きにロッドカラー部材３００の下面に設けられた開口部３００ａに挿入され、ボンネットロック解除操作ロッド２００に当接させられるので、ボンネットロック解除操作ロッド２００の他方の端部２００ｂは矢印Ｄの向きに押上げられ、ロックアーム１２０は矢印Ｅの向きに回動する。
【００７７】
また、図１４に示されているように、治具４００は、使用時には、ロッドカラー部材３００の下面に設けられた開口部３００ａに挿入され、ボンネットロック解除操作ロッド２００に螺合させられる変形例の実施の形態も、考えられる。
【００７８】
ここに、図１４は、本発明における別の実施の形態（その六）の農業用トラクターのロッドカラー部材３００近傍の部分右側面図である。
【００７９】
図１４においては、理解を容易にするために、ロッドカラー部材３００などについては断面が示されている。
【００８０】
ボンネットロック解除操作ロッド２００の他方の端部２００ｂに設けられた螺子は、作業者が右利きである場合には右螺子であり、作業者が左利きである場合には左螺子であることが、望ましい。なぜならば、他方の端部２００ｂに設けられた螺子に対応している螺子穴が設けられている治具４００が親指で回しやすい向きは、作業者が右利きである場合には反時計回りの向きであり、作業者が左利きである場合には時計回りの向きであるからである。もちろん、他方の端部２００ｂが治具４００の使用時に引下げられる構成が採用されてもよいし、他方の端部２００ｂが治具４００の使用時に押上げられる構成が採用されてもよい。
【００８１】
なお、図１５に示されているように、ボンネットロック解除操作ロッド２００およびロッドカラー部材３００がない変形例の実施の形態も、考えられる。
【００８２】
ここに、図１５（ａ）は本発明に関連する発明における実施の形態の農業用トラクターのボンネット固定具１００近傍の部分上面図であり、図１５（ｂ）は本発明に関連する発明における実施の形態の農業用トラクターのボンネット固定具１００近傍の部分正面図である。
【００８３】
治具４００は、使用時には、矢印Ｆの向きにベースプレート６１に設けられた治具挿入孔６５に挿入され、ロックアーム１２０の下面に設けられた治具当接溝１２７に当接させられるので、ロックアーム１２０は矢印Ｇの向きに回動する。もちろん、たとえば、部品点数の抑制が要請される、または所定の作業者以外の人間がボンネット７０を自由に開けることができない仕様が望ましいのであれば、治具４００はエンジンキー２８であり、治具挿入孔６５および治具当接溝１２７の形状はエンジンキー２８の形状に対応している構成が採用されてもよい。
【産業上の利用可能性】
【００８４】
本発明における作業車両は、ボンネットの意図しない開放にともなう危険性を低減することができ、農業用トラクターなどの作業車両に利用する目的に有用である。
【符号の説明】
【００８５】
１０    車体
２０    運転ユニット
２１    運転席
２２    フロア
２３    操舵ハンドル
２４    前後進レバー
２５Ｌ    左ブレーキペダル
２５Ｒ    右ブレーキペダル
２６    アクセルペダル
２７    クラッチペダル
２８    エンジンキー
３０    エンジン
３１    燃料タンク
３２    マフラー
３３    ラジエーター
４０Ｌ    左前輪
４０Ｒ    右前輪
５０Ｌ    左後輪
５０Ｒ    右後輪
６０    エンジンルーム
６１    ベースプレート
６２    ロッド貫通孔
６３    前フレーム
６４    ベースプレート取付け部材
６５    治具挿入孔
７０    ボンネット
７１    ボンネットピン
８０    フロントローダー
８１    フロントローダー油圧ホース
９０    工具箱
９１    工具箱取付けボルト挿入孔
１００    ボンネット固定具
１１０    固定具基部
１１１    固定具基部突起
１１２    アーム取付けリング部材
１１３    アーム付勢スプリング部材
１１４    アーム取付けナット
１２０    ロックアーム
１２１    ボンネットピン係止切欠き
１２２    固定具基部突起挿入孔
１２３    ロックアーム突起
１２４    ロッド取付けワッシャー
１２５    ロッド抜止めヘアピン係止孔
１２６    ロッド抜止めヘアピン
１２７    治具当接溝
２００    ボンネットロック解除操作ロッド
２１０    ロックアーム突起挿入孔
２２０    治具係止孔
２３０    治具係止凹部
２４０    治具係止切欠き
３００    ロッドカラー部材
３１０    ロッドカラー部材切欠き
４００    治具
４１０    治具留め紐
４２０    治具留め蝶ボルト
【図１】
0006555245.tif 000002
【図２】
0006555245.tif 000003
【図３】
0006555245.tif 000004
【図４】
0006555245.tif 000005
【図５】
0006555245.tif 000006
【図６】
0006555245.tif 000007
【図７】
0006555245.tif 000008
【図８】
0006555245.tif 000009
【図９】
0006555245.tif 000010
【図１０】
0006555245.tif 000011
【図１１】
0006555245.tif 000012
【図１２】
0006555245.tif 000013
【図１３】
0006555245.tif 000014
【図１４】
0006555245.tif 000015
【図１５】
0006555245.tif 000016